(57)【要約】【課題】  屋外側から外壁目地の奥に挿入及び取り外しすることが可能であり、下地材や外壁パネル取付用金具５との干渉を抑えることができ、メンテナンス容易な外壁目地の２次防水部材１を提供する。【解決手段】  外壁目地の２次防水部材１は、外壁パネル３間の縦目地の屋内側に収納されて、該縦目地から屋内側に水が浸入することを抑止する２次防水部材１であって、可撓性を有し、長尺の帯状に形成された防水性のシート体１１と、該シート体１１の両側に当該シート体１１に沿ってそれぞれ形成される長尺の部材であって、縦目地の屋内側に収納されたときに屋内側にやや膨らむように、その幅方向が湾曲した前記シート体よりも硬質の防水性を有する湾曲部材１２と、該湾曲部材１２の前記シート体１１と反対側の側縁に沿って形成され、外壁パネル３側に突出する水返し部１３と、を備える。【選択図】図１
2011179216.tif 000002
【特許請求の範囲】
【請求項１】
外壁パネル間の縦目地の屋内側に収納されて、該縦目地から屋内側に水が浸入することを抑止する外壁目地の２次防水部材であって、
可撓性を有し、長尺の帯状に形成された防水性のシート体と、
該シート体の両側に当該シート体に沿ってそれぞれ形成される長尺の部材であって、縦目地の屋内側に収納されたときに屋内側に湾曲するように、その幅方向が湾曲した前記シート体よりも硬質の防水性を有する湾曲部材と、を備えることを特徴とする外壁目地の２次防水部材。
【請求項２】
前記湾曲部材の前記シート体と反対側の側縁に沿って形成され、外壁パネル側に突出する弾性体の水返し部、を更に備えることを特徴とする請求項１に記載の外壁目地の２次防水部材。
【請求項３】
前記シート体は少なくとも可視光を透過可能であることを特徴とする請求項１又は請求項２に記載の外壁目地の２次防水部材。
【請求項４】
前記シート体は前記縦目地の目地幅よりも幅広であることを特徴とする請求項１から請求項３のいずれかに記載の外壁目地の２次防水部材。
【請求項５】
外壁パネル間の縦目地よりも幅広に形成された弾性体により形成され、前記縦目地に圧入されて保持される１次防水部材と、
前記縦目地の屋内側に形成された前記縦目地の目地幅よりも幅広の２次防水部材と、を備える外壁目地の２重防水構造であって、
前記２次防水部材は、可撓性を有し、長尺の帯状に形成された防水性のシート体と、
該シート体の両側に当該シート体に沿ってそれぞれ形成される長尺の部材であって、縦目地の屋内側に収納されたときに屋内側に湾曲するように、その幅方向が湾曲した前記シート体よりも硬質の湾曲部材と、
を具備することを特徴とする外壁目地の２重防水構造。
【請求項６】
前記２次防水部材は、前記湾曲部材の前記シート体と反対側の側縁に沿って形成され、外壁パネル側に突出する弾性体の水返し部、を更に具備することを特徴とする請求項５に記載の外壁目地の２重防水構造。
【請求項７】
可撓性を有し、長尺の帯状に形成された防水性のシート体の両側に、幅方向が湾曲した前記シート体よりも硬質の湾曲部材を形成しする外壁パネル間の縦目地よりも幅広の２次防水部材を、前記シート体を屈曲させた状態で屋外側から前記縦目地に挿入した後で、
前記縦目地の屋内側で前記シート体を広げて、前記縦目地を屋内側から前記２次防水部材で覆うように配置し、
次に、前記縦目地よりも幅広に形成された弾性体からなる１次防水部材を、屋外側から前記縦目地の間に圧入することを特徴とする外壁目地の２重防水構造施工方法。
【発明の詳細な説明】
【技術分野】
【０００１】
本発明は、外壁パネル間の縦目地から屋内側に水が侵入することを抑止する外壁目地の２次防水部材、この外壁目地の２次防水部材を用いた外壁目地の２重防水構造、及びこの外壁目地の２重防水構造の施工方法に関する。
【背景技術】
【０００２】
従来より、複数の互いに隣接する外壁パネル間に形成される目地から建物内部に風雨などが侵入することを防ぎ、且つ、建物の外観を良好に保つために、乾式の外壁目地ガスケットが用いられる。外壁目地ガスケットは、例えばポリ塩化ビニル等の水密性及び弾性を有する材料で形成され、目地の幅よりも幅広の長手形状であって、屋外側から目地に圧入して固定するものである。
【０００３】
このような外壁目地ガスケットにおいては、防水性をさらに高めるために、例えば図１２（Ａ）に示すように、対向する垂直板を底板部に立設して嵌着溝を形成してなるベース目地材１０１と、該ベース目地材１０１の嵌着溝１０６に嵌入する凸条１０３を筒形中空状のシール部１０４に垂設すると共に、シール部１０４のシール面にシリコン系被覆層を形成し、かつ、シール部１０４の下端部を目地幅に合わせて肉厚に形成してなるトップ目地材１０２とからなる外壁目地ガスケット１００が提案されている（特許文献１参照）。
【０００４】
このように構成することで外壁目地ガスケット１００は、図１２（Ｂ）に示すように、シール部１０４の防水性による一次防水に加えて、ベース目地材１０１が外壁パネル１０５の裏面１０５ａに当接密着することによって、二次防水を行うことができ、より防水効果を高めることができる。
【先行技術文献】
【特許文献】
【０００５】
【特許文献１】特開２００３−７４１３０号公報
【発明の概要】
【発明が解決しようとする課題】
【０００６】
しかし、上述のような外壁目地ガスケット１００においては、ベース目地材１０１の幅が外壁目地の目地幅よりも広くなるので、ベース目地材１０１を外壁目地から屋内側に挿入することが困難であり、建物の屋内側からベース目地材１０１を取り付ける作業をする必要がある。したがって、外壁パネル１０５の屋内側に配置される下地材や外壁パネル取付用金具等が邪魔になって、ベース目地材１０１を取り付ける作業が困難となる場合も多く、また、外壁をリフォームする場合などのように内装材が固定されているためにベース目地材１０１を取り付けるために外壁パネル１０５を外す必要があった。
【０００７】
また、ベース目地材１０１と外壁の下地材や外壁パネル取付用金具等とが狭い空間を取り合うことになるので、外壁パネル１０５の屋内側の空間の厚みによってはこのベース目地材１０１を設置することができない場合もあった。
【０００８】
そこで、本発明は、屋外側から外壁目地の奥に挿入及び取り外しすることが可能であり、下地材や外壁パネル取付用金具との干渉を抑えることができ、メンテナンスが容易な外壁目地の２次防水部材、この外壁目地の２次防水部材を用いる外壁目地の２重防水構造、及びその施工方法を提供することを目的とする。
【課題を解決するための手段】
【０００９】
請求項１に記載の外壁目地の２次防水部材は、外壁パネル間の縦目地の屋内側に収納されて、該縦目地から屋内側に水が浸入することを抑止する外壁目地の２次防水部材であって、可撓性を有し、長尺の帯状に形成された防水性のシート体と、該シート体の両側に当該シート体に沿ってそれぞれ形成される長尺の部材であって、縦目地の屋内側に収納されたときに屋内側に湾曲するように、その幅方向が湾曲した前記シート体よりも硬質の防水性を有する湾曲部材と、を備えることを特徴としている。
【００１０】
請求項２に記載の外壁目地の２次防水部材は、前記湾曲部材の前記シート体と反対側の側縁に沿って形成され、外壁パネル側に突出する弾性体の水返し部、を更に備えることを特徴としている。
【００１１】
請求項３に記載の外壁目地の２次防水部材は、前記シート体は少なくとも可視光を透過可能であることを特徴としている。
【００１２】
なお、ここで「可視光を透過可能」とは、可視光を１００パーセント透過することができるものに限られず、シート体の裏側に設置された部材を視認することができる程度に透明または半透明であればよい。
【００１３】
請求項４に記載の外壁目地の２次防水部材は、前記シート体は前記縦目地の目地幅よりも幅広であることを特徴としている。
【００１４】
請求項５に記載の外壁目地の２重防水構造は、外壁パネル間の縦目地よりも幅広に形成された弾性体により形成され、前記縦目地に圧入されて保持される１次防水部材と、前記縦目地の屋内側に形成された前記縦目地の目地幅よりも幅広の２次防水部材と、を備える外壁目地の２重防水構造であって、前記２次防水部材は、可撓性を有し、長尺の帯状に形成された防水性のシート体と、該シート体の両側に当該シート体に沿ってそれぞれ形成される長尺の部材であって、縦目地の屋内側に収納されたときに屋内側に湾曲するように、その幅方向が湾曲した前記シート体よりも硬質の湾曲部材と、を具備することを特徴としている。
【００１５】
請求項６に記載の外壁目地の２重防水構造は、前記２次防水部材が前記湾曲部材の前記シート体と反対側の側縁に沿って形成され、外壁パネル側に突出する弾性体の水返し部と、を更に具備することを特徴としている。
【００１６】
請求項７に記載の外壁目地の２重防水構造施工方法は、可撓性を有し、長尺の帯状に形成された防水性のシート体の両側に、幅方向が湾曲した前記シート体よりも硬質の湾曲部材を形成し、外壁パネル間の縦目地よりも幅広の２次防水部材を、前記シート体を屈曲させた状態で屋外側から前記縦目地に挿入した後で、前記縦目地の屋内側で前記シート体を広げて、前記縦目地を屋内側から前記２次防水部材で覆うように配置し、次に、前記縦目地よりも幅広に形成された弾性体からなる１次防水部材を、屋外側から前記縦目地の間に圧入することを特徴としている。
【発明の効果】
【００１７】
請求項１に記載の外壁目地の２次防水部材によると、可撓性を有する帯状のシート体を挟んで両側に湾曲部材が形成されている。したがって、このシート体を屈曲させて、両側の湾曲部材を近接させることで、外壁の縦目地に簡単に２次防水部材を挿入することができ、外壁パネルの屋内側でシート体を広げることで、２次防水部材により、外壁の縦目地を屋内側から覆うことができる。したがって、極めて簡単に、目地幅よりも幅広の２次防水部材を外壁目地の奥に設置することができ、２次防水性能を高めることができる。
【００１８】
しかも２次防水部材は、縦目地の屋内側に収納されたときに屋内側に湾曲するように、その幅方向が湾曲した前記シート体よりも硬質の湾曲部材を備えているので、目地幅よりも相当幅広に形成することができ、外壁パネル裏面との重なり寸法を大きくとることができ、より確実に縦目地から入った水を屋内側へ侵入することを防ぐことができるとともに、外壁パネル裏面と２次防水部材との間に比較的大きな２次防水空間を取ることができ、例えば、外壁の水平目地から侵入した水をこの２次防水空間で受けるように容易に設計することができる。
【００１９】
また、この２次防水部材によると、下地材や外壁パネル取付用金具が設置される位置に可撓性を有するシート体が設置されるので、シート体を柔軟に変形させることにより、２次防水部材と、下地材や外壁パネル取付用金具との干渉を抑えることができる。さらに、この２次防水部材を挿入する際には、湾曲部材の先端を互いに引き寄せることで、より挿入しやすい形状に変形させることができ、この湾曲部材を挿入した後で、シート体を縦目地の屋外側から押し込むことでシート体が広がり、湾曲部材の先端を外壁パネルの屋内側に当接させることができる。
【００２０】
請求項２に記載の外壁目地の２次防水部材によると、湾曲部材のシート体と反対側の側縁に沿って弾性体の水返し部が形成されているので、２次防水空間にまで水が侵入したとしてもこの水返し部で確実に防水することができる。しかもこの水返し部は弾性体で構成されているので、外壁パネル間の縦目地にこの２次防水部材を挿入する際に邪魔になることがなく、また、メンテナンスなどのために取り外す際には取り外しやすいように変形することができる。また、２次防水部材を挿入する際に、湾曲部材のシート体側の側縁を離反方向に移動させ、水返し部を互いに接近させて引き寄せることで、より挿入しやすい形状に変形させることができる。
【００２１】
請求項３に記載の外壁目地の２次防水部材によると、２次防水部材の幅方向の中央に帯状に設けられるシート体が可視光を透過可能であるので、縦目地の奥にこの２次防水部材を設置した後でも、外壁パネル取付用金具を視認することができ、２次防水部材よりも後に取り付ける１次防水部材の外れ防止用の突起部材の取付け位置が外壁パネル取付用金具と重ならないように調整することができる。
【００２２】
請求項４に記載の外壁目地の２次防水部材によると、シート体は縦目地の目地幅よりも幅広であるので、より容易に外壁パネル取付用金具を視認することができるとともに、２次防水部材と下地材や外壁パネル取付用金具との干渉をより確実に抑えることができる。
【００２３】
請求項５に記載の外壁目地の２重防水構造によると、２次防水部材が縦目地の屋内側に収納されたときに屋内側に湾曲するように、その幅方向が湾曲した前記シート体よりも硬質の湾曲部材を備えているので、目地幅よりも相当幅広に形成することができ、外壁パネル裏面との重なり寸法を大きくとることができ、より確実に縦目地からの水の侵入を防ぐことができるとともに、外壁パネル裏面と２次防水部材との間に比較的大きな２次防水空間を取ることができ、例えば、外壁の水平目地から侵入した水をこの２次防水空間で受けるように容易に設計することができる。また、下地材や外壁パネル取付用金具が設置される位置に可撓性を有するシート体が設置されるので、シート体を柔軟に変形させることにより、２次防水部材と、下地材や外壁パネル取付用金具との干渉を抑えることができる。
【００２４】
請求項６に記載の外壁目地の２重防水構造によると、湾曲部材のシート体と反対側の側縁に沿って弾性体の水返し部が形成されているので、２次防水空間にまで水が侵入したとしてもこの水返し部で確実に防水することができる。しかもこの水返し部は弾性体で構成されているので、外壁パネル間の縦目地にこの２次防水部材を挿入する際に邪魔になることがなく、また、メンテナンスなどのために取り外す際には取り外しやすいように変形することができる。
【００２５】
請求項７に記載の外壁目地の２重防水構造施工方法によると、２次防水部材をそのシート体を屈曲させた状態で屋外側から外壁パネル間の縦目地に挿入した後で、縦目地の屋内側でシート体を広げて、縦目地を屋内側から２次防水部材で覆うように配置し、次に、縦目地よりも幅広に形成された弾性体からなる１次防水部材を、屋外側から縦目地の間に圧入するので、簡単に目地幅よりも幅広の２次防水部材を屋外側から目地の奥に挿入することができ、極めて容易に外壁目地の２重防水構造を施工することができる。
【図面の簡単な説明】
【００２６】
【図１】２重防水構造の全体構成を説明する外壁縦目地の水平断面図。
【図２】１次防水部材の外観構成を説明する一部省略斜視図。
【図３】２次防水部材の外観構成を説明する一部省略斜視図。
【図４】２次防水部材の断面形状を説明する断面図。
【図５】外壁パネル取付用金具を用いて、軸組に外壁パネルを固定する工程を説明する一部省略断面図。
【図６】外壁の縦目地に２次防水部材の湾曲部材を挿入する工程を説明する一部省略断面図。
【図７】外壁の縦目地に２次防水部材を挿入する工程で、湾曲部材の先端が縦目地の屋内側に挿入されて、湾曲部材同士が相互に離反する方向に広がる状態を説明する一部省略断面図。
【図８】外壁の縦目地を屋内側から２次防水部材で覆った状態を示す一部省略断面図。
【図９】外壁の縦目地に１次防水部材を圧入した状態を示す一部省略断面図であって、外壁取付用金具が設置されている高さの断面を示す図。
【図１０】（Ａ）は、外壁の縦目地に１次防水部材を圧入した状態を示す一部省略断面図であって、外れ防止部材が設置されている高さの断面を示す図、（Ｂ）は、（Ａ）の２点鎖線で囲んだ部分の拡大図。
【図１１】２次防水部材を外壁の縦目地から取り外す作業を説明する図。
【図１２】従来の縦目地防水に用いられる外壁目地ガスケットの一例を示す図。
【発明を実施するための形態】
【００２７】
以下、外壁目地の２次防水部材１、外壁目地の２重防水構造２、及び外壁目地の２重防水構造施工方法の最良の実施形態について、各図を参照しつつ説明する。外壁目地の２次防水部材１及び外壁目地の２重防水構造２が用いられる外壁は、図１に示すように、複数の外壁パネル３を建物の構造躯体を構成する軸組４に外壁パネル取付用金具５を用いて固定して形成される。外壁パネル３は、矩形平板状に形成された例えば樹脂系、セメント系、セラミック系、又は金属系のサイディング材である。この外壁パネル３の周縁の屋内側にはこの外壁パネル３を建物の梁や柱に固定するために断面Ｃ型の金属枠３１が目地方向に開口して取り付けられている。
【００２８】
この外壁パネル３を軸組４に固定する外壁パネル取付用金具５は、軸組４に固定され、軸組４から屋外方向に突出する基部５１と、基部５１を軸として回転可能に固定されており、外壁パネル３の金属枠３１を軸組４との間に挟持するパネル固定部５２と、このパネル固定部５２を回転動作させる操作部５３とを備える。外壁パネル３を固定する際には、軸組４に外壁パネル３の金属枠３１を押し当てて、外壁パネル取付用金具５の操作部５３を操作してパネル固定部５２を回転させ、パネル固定部５２と軸組４とで外壁パネル３の金属枠３１を挟持して固定する。このとき、操作部５３は、外壁パネル３間の縦目地の奥に位置するように構成されている。したがって、屋外側から目地内にドライバーなどの工具を挿入しつつ操作することにより、外壁パネル３を屋外側から取り付けることができ、また、リフォームなどの際にも外壁パネル３を屋外側から取り外すことができる。
【００２９】
外壁目地の２重防水構造２は、このような外壁パネル３間の縦目地に配置されるものであって、外壁パネル３間の縦目地を通過して建物の屋内側に雨水等が侵入することを防止するものである。この外壁目地の２重防水構造２は、図１に示すように、外壁パネル３間の縦目地に圧入される１次防水部材６と、縦目地の屋内側に配置される２次防水部材１とにより構成される。
【００３０】
１次防水部材６は、図１及び図２に示すように、縦目地に水密的に圧入される本体６１と、この本体６１が縦目地から脱落することを防止する複数の外れ防止部材６２から成る。本体６１は、例えばポリ塩化ビニル等の水密性及び弾性を有する材料で形成されており、目地幅よりも幅広の長手形状に形成されている。この本体６１の内部は複数の空間が形成されており、縦目地にこの本体６１を圧入したときには、この本体６１が弾性変形して縦目地をシールすることができる。また、縦目地に圧入した際に屋内側になる部分には、先端が膨らんだ凸条６１ａが形成されている。外れ防止部材６２は、本体６１の凸条６１ａに一定間隔で固定される弾性体であって、目地幅よりも広くひろがって外壁パネル３の屋内側面に引っ掛かる係止部６２ａと、凸条６１ａを嵌め込む嵌着部６２ｂと、係止部６２ａ及び嵌着部６２ｂを連結する連結部６２ｃとから構成されている。このような１次防水部材６は、図１０（Ｂ）に示すように、本体６１の凸条６１ａに所定間隔で外れ防止部材６２を固定した状態で、縦目地に圧入されることにより縦目地に固定される。
【００３１】
外壁目地の２次防水部材１は、図１、図３、及び図４に示すように、縦目地の屋内側に収納される防水部材である。この外壁目地の２次防水部材１は、帯状に形成された柔軟な樹脂製のシート体１１と、このシート体１１の両側に形成され、縦目地の屋内側に収納されたときに屋内側に湾曲するように湾曲した湾曲部材１２と、この湾曲部材１２の側縁に形成される水返しヒレ１３と、により構成されている。シート体１１は、例えばポリプロピレン、アクリル樹脂、ポリカーボネートなどのような透明な軟質樹脂により形成されており、可撓性、防水性を有する。このシート体１１は、長さが例えば外壁パネル３の高さとほぼ等しく、例えば幅が１０ｍｍから２０ｍｍ程度の帯状に形成されており、縦目地の目地幅とほぼ等しいか、目地幅よりも幅広に形成されている。
【００３２】
湾曲部材１２は、例えば断面が半径２５ｍｍから３０ｍｍ程度で中心角が６０度から６５度程度の屋内側に向かって湾曲する略円弧状に形成されており、シート体１１よりも硬質の樹脂により形成されている。この湾曲部材１２は、例えば幅が２０ｍｍ程度で、外壁パネル３の屋内側に挿入したときの奥行きが４．２ｍｍほどに形成されている。この湾曲部材１２は、例えば硬質ポリプロピレン、硬質ポリ塩化ビニルなどの熱可塑性樹脂、薄い鋼板といった弾性材料で形成されている。また、水返しヒレ１３は、湾曲部材１２のシート体１１と反対側の側縁に形成されており弾性を有して形成されている。この水返しヒレ１３は、例えば、軟質ポリプロピレン、軟質ポリ塩化ビニルなどの熱可塑性樹脂、ゴム材といった軟質材料で形成されている。
【００３３】
以上のように構成される外壁目地の２次防水部材１、及び外壁目地の２重防水構造２を施工する際には、図５に示すように、まず外壁パネル３を建物の軸組４に固定する。具体的には、軸組４に外壁パネル取付用金具５を取り付け、外壁パネル３の金属枠３１の屋内側面を軸組４に当接させる。そして、外壁パネル取付用金具５の操作部５３を操作してパネル固定部５２を回転させ、このパネル固定部５２を金属枠３１の屋外側面に当接させ、このパネル固定部５２と軸組４とで金属枠３１を挟持して固定する。
【００３４】
次に、図６に示すように、外壁目地の２次防水部材１のシート体１１を屈曲させて、両側の湾曲部材１２の膨らんだ側を互いに近接させた状態で、縦目地に挿入する。このとき水返しヒレ１３は縦目地の形状に合わせて弾性変形する。そして、図７に示すように、湾曲部材１２の先端を縦目地の屋内側に挿入しきると、湾曲部材１２の先端を互いに離反するように広げつつ、シート体１１を縦目地内に挿入する。そして、さらにシート体１１を縦目地の屋内側に挿入して、図８に示すように、シート体１１を広げて、縦目地を屋内側からこの２次防水部材１で覆うように配置する。２次防水部材は外壁パネル３の屋内側との重なり幅を大きく取っているので、目地から侵入した水が屋内側にさらに侵入することを十分に抑制できるが、さらに、湾曲部材１２が外壁パネル取付用金具５に規制されて、水返しヒレが外壁パネル３の金属枠３１の屋外側片に当接するので、水返しヒレと外壁パネルとの隙間を極力小さくすることができ、より確実に水の屋内側への侵入を抑制できる。また、透明なシート体１１の幅は、縦目地の幅とほぼ等しいか数ミリ程度幅広に形成されているので、縦目地を屋内側から２次防水部材１で覆った後も、屋外側から外壁パネル取付用金具５を視認することができる。
【００３５】
そして、次に１次防水部材６の外れ防止部材６２の嵌着部６２ｂに本体６１の凸条６１ａを嵌め込む。このとき、外れ防止部材６２の位置が外壁パネル取付用金具５の位置からずれるように配置する。そして、図９及び図１０に示すように、１次防水部材６を縦目地に圧入して、外れ防止部材６２が縦目地の奥まで挿入されるようにする。図９に示すように、外壁パネル取付用金具５が設置されている高さ位置には、外れ防止部材６２が配置されておらず、図１０（Ａ）及び（Ｂ）に示すように外れ防止部材６２が配置されている高さ位置には、外壁パネル取付用金具５が設置されていないので、お互いの部材が干渉しあって１次防水部材６が上手く縦目地に挿入されないといった不具合を防止することができる。
【００３６】
以上のように、シート体１１を屈曲させて、両側の湾曲部材１２を互いに近接させることで、２次防水部材１よりも幅の狭い外壁の縦目地に簡単に２次防水部材１を挿入することができ、外壁パネル３の屋内側でシート体１１を広げることで、２次防水部材１で外壁の縦目地を屋内側から覆うことができる。したがって、極めて簡単に、目地幅よりも幅広の２次防水部材１を外壁目地の奥に設置することができ、２次防水性能を高めることができる。
【００３７】
また、湾曲部材１２が目地幅よりも相当幅広に形成されるので、外壁パネル３裏面との重なり寸法を大きくとることができ、より確実に縦目地からの水の侵入を防ぐことができるとともに、外壁パネル３裏面と２次防水部材１との間に比較的大きな２次防水空間を取ることができ、例えば、外壁の水平目地から侵入した水をこの２次防水空間で受けるように容易に設計することができる。
【００３８】
なお、外壁目地の２重防水構造２を取り外す際には、まず、１次目地部材６をドライバなどの工具７で引っ掛けて屋外側に引き出す。そしてその後、図１１に示すように、２次防水部材１のシート体１１の上下方向の端部にドライバなどの先端がやや尖った工具７を引っ掛けて、屋外側に引き出す。このように可撓性を有するシート体１１を引き出すことで、このシート体１１の両側に形成されている湾曲部材１２もまた互いに近接して、外壁の縦目地から引き出される。したがって、メンテナンスなどの際に外壁パネルを取り外すことなく、２次防水部材１を殆ど破壊することなく取り外すことができるので、メンテナンス作業を容易にすることができる。
【００３９】
なお、本発明の実施の形態は上述の形態に限ることなく、本発明の思想の範囲を逸脱しない範囲で適宜変更することができることは云うまでもない。
【産業上の利用可能性】
【００４０】
本発明に係る外壁目地の２次防水部材１、外壁目地の２重防水構造２、及び外壁目地の２重防水構造施工方法を用いると、外壁の縦目地をより確実に防水することができる外壁目地の２次防水部材１、外壁目地の２重防水構造２、及び外壁目地の２重防水構造施工方法として好適に用いることができる。
【符号の説明】
【００４１】
１          ２次防水部材
２          ２重防水構造
３          外壁パネル
６          １次防水部材
１１        シート体
１２        湾曲部材
１３        水返しヒレ（水返し部）
【図１】
2011179216.tif 000003
【図２】
2011179216.tif 000004
【図３】
2011179216.tif 000005
【図４】
2011179216.tif 000006
【図５】
2011179216.tif 000007
【図６】
2011179216.tif 000008
【図７】
2011179216.tif 000009
【図８】
2011179216.tif 000010
【図９】
2011179216.tif 000011
【図１０】
2011179216.tif 000012
【図１１】
2011179216.tif 000013
【図１２】
2011179216.tif 000014